(57)【要約】 【課題】  カメラとは別個の道具をその道具本来の使い方で使用しながら、その道具を用いて手軽にカメラを操作することができるカメラ操作装置を提供する。【解決手段】  信号生成部１０４ａは、センサ１０１によって検出されたシャープペンシル１の可動部の動きに基づいて、カメラ２のレリーズ動作を制御するための操作信号を生成する。判定部１０４ｂは、センサ１０１および１０３によって検出された可動部の動きに基づいて、操作者による操作がシャープペンシル１の本来の操作であるか、それとも本来の操作と異なる操作であるかを判定する。操作者による操作が、シャープペンシル１の本来の操作と異なる操作であった場合に、処理装置１０４は操作信号を出力する。操作信号はカメラ２へ送信され、操作信号に基づいてカメラ２のレリーズ動作が制御される。【選択図】    図１
2006279619.tif 000002
【特許請求の範囲】
【請求項１】
可動部を備えた道具に設けられ、操作者による前記道具の操作に基づいた前記可動部の動きを検出する検出手段と、
前記検出手段によって検出された前記可動部の動きに基づいて、カメラの動作を制御する制御信号を生成する信号生成手段と、
前記検出手段によって検出された前記可動部の動きに基づいて、前記操作者による前記道具の操作が前記道具の本来の操作であるか、それとも前記道具の本来の操作と異なる操作であるかを判定する判定手段と、
前記操作者による前記道具の操作が、前記道具の本来の操作と異なる操作であると判定された場合に、前記制御信号に基づいて前記カメラの動作を制御する、前記カメラに設けられたカメラ制御手段と、
を備えたことを特徴とするカメラ操作装置。
【請求項２】
前記判定手段による判定の結果、前記操作者による前記道具の操作が前記道具の本来の操作と異なる操作であると判定された場合にのみ、前記カメラ制御手段が、前記制御信号に基づいて前記カメラの動作を制御する第１の動作モードと、前記判定手段による判定の結果に依存せず、前記カメラ制御手段が、前記制御信号に基づいて前記カメラの動作を制御する第２の動作モードとのいずれかを設定するモード設定手段をさらに備えたことを特徴とする請求項１に記載のカメラ操作装置。
【請求項３】
前記道具は複数の可動部を備え、各可動部に対応して前記検出手段が設けられ、前記信号生成手段は、複数の前記検出手段のうちのいずれが前記可動部の動きを検出した場合でも、前記カメラの特定の動作に係る同一種類の前記制御信号を生成することを特徴とする請求項１または請求項２に記載のカメラ操作装置。
【発明の詳細な説明】
【技術分野】
【０００１】
本発明は、カメラとは別個の道具の操作に基づいて、カメラの動作を制御するカメラ操作装置に関する。
【背景技術】
【０００２】
従来、カメラ本体とは別の道具からカメラを操作する技術が開示されている。例えば、特許文献１には、リモコン装置が発する無線信号に基づいてカメラの動作を制御するクレードル装置が記載されている。また、特許文献２には、カメラのリモコン送受信機として携帯電話機を用いた電子カメラシステムが記載されている。また、特許文献３には、カメラ付き携帯電話が装着されるクレードル装置が記載されている。
【特許文献１】特開２００３−６９８８２号公報
【特許文献２】特開２００４−９６１６５号公報
【特許文献３】特開２００４−２３５９６４号公報
【発明の開示】
【発明が解決しようとする課題】
【０００３】
しかし、上述した従来技術においては、カメラとは別個の道具を用いてカメラを操作することは提案されているものの、カメラとは別個の道具の本来の操作とカメラの操作とを関連付けることは全く提案されていない。このため、操作者が、カメラとは別個の道具をその道具本来の使い方で使用しながらカメラ撮影も行いたい場合に、手軽にカメラを操作することができなかった。
【０００４】
本発明は、上述した問題点に鑑みてなされたものであって、カメラとは別個の道具をその道具本来の使い方で使用しながら、その道具を用いて手軽にカメラを操作することができるカメラ操作装置を提供することを目的とする。
【課題を解決するための手段】
【０００５】
本発明は、上記の課題を解決するためになされたもので、請求項１に記載の発明は、可動部を備えた道具に設けられ、操作者による前記道具の操作に基づいた前記可動部の動きを検出する検出手段と、前記検出手段によって検出された前記可動部の動きに基づいて、カメラの動作を制御する制御信号を生成する信号生成手段と、前記検出手段によって検出された前記可動部の動きに基づいて、前記操作者による前記道具の操作が前記道具の本来の操作であるか、それとも前記道具の本来の操作と異なる操作であるかを判定する判定手段と、前記操作者による前記道具の操作が、前記道具の本来の操作と異なる操作であると判定された場合に、前記制御信号に基づいて前記カメラの動作を制御する、前記カメラに設けられたカメラ制御手段とを備えたことを特徴とするカメラ操作装置である。
【０００６】
請求項２に記載の発明は、請求項１に記載のカメラ操作装置において、前記判定手段による判定の結果、前記操作者による前記道具の操作が前記道具の本来の操作と異なる操作であると判定された場合にのみ、前記カメラ制御手段が、前記制御信号に基づいて前記カメラの動作を制御する第１の動作モードと、前記判定手段による判定の結果に依存せず、前記カメラ制御手段が、前記制御信号に基づいて前記カメラの動作を制御する第２の動作モードとのいずれかを設定するモード設定手段をさらに備えたことを特徴とする。
【０００７】
請求項３に記載の発明は、請求項１に記載のカメラ操作装置において、前記道具は複数の可動部を備え、各可動部に対応して前記検出手段が設けられ、前記信号生成手段は、複数の前記検出手段のうちのいずれが前記可動部の動きを検出した場合でも、前記カメラの特定の動作に係る同一種類の前記制御信号を生成することを特徴とする。
【発明の効果】
【０００８】
本発明によれば、操作者による道具の操作がその道具の本来の操作である場合にはカメラに特定の動作を行わせず、操作者による道具の操作が、その道具の本来の操作と異なる操作である場合に、カメラに特定の動作を行わせるので、操作者が、カメラとは別個の道具をその道具本来の使い方で使用しながら、その道具を用いて手軽にカメラを操作することができるという効果が得られる。
【発明を実施するための最良の形態】
【０００９】
以下、図面を参照し、本発明を実施するための最良の形態について説明する。図１は、本発明の一実施形態による、シャープペンシル（筆記具）を用いたハンズフリーカメラ操作装置の構成を示すブロック図である。本実施形態においては、図示されるシャープペンシル１が入力装置として用いられ、操作者によるシャープペンシル１の操作に基づいて、カメラ２が動作する。これによって、操作者がカメラ２本体に手を触れることなく写真を撮影することが可能となっている。カメラ２は、顔面や頭部等に身に付ける眼鏡、サンバイザー、あるいは帽子等に装着される。
【００１０】
シャープペンシル１において、センサ１０１〜１０３はいずれもシャープペンシル１の可動部に設けられ、操作者によるシャープペンシル１の操作に基づいた可動部の動きを検出する。センサ１０１はノックボタン１ａの押し込み動作（ノック動作）を検出する。センサ１０２はノックボタン１ａの回転を検出する。センサ１０３はシャープペンシルの芯１ｂの動きを検出する。
【００１１】
処理装置１０４は、センサ１０１〜１０３によって検出された可動部の動きに基づいた操作信号を生成する。処理装置１０４において、信号生成部１０４ａは、センサ１０１および１０２による可動部の動きの検出結果に基づいて、カメラ２を操作する（カメラ２の動作を制御する）ための操作信号（制御信号）を生成する。判定部１０４ｂは、センサ１０１および１０３から出力された、可動部の動きの検出結果を示す信号に基づいて、操作者によるシャープペンシル１の操作がシャープペンシル１の本来の操作であるか、それともシャープペンシル１の本来の操作と異なる操作であるかを判定し、判定結果を示す判定信号を生成する。送信装置１０５は操作信号をカメラ２へ送信する。
【００１２】
カメラ２には受信装置２０１および駆動装置２０２が設けられている。カメラ受信装置２０１は、送信装置１０５によって送信された操作信号を受信する。駆動装置２０２は、操作信号に基づいてカメラ２を駆動し、カメラ２のレリーズ動作やズーム動作を制御する。送信装置１０５および受信装置２０１の間で行われる通信の伝送路は有線・無線のいずれであってもよい。
【００１３】
次に、上述した構成の動作を説明する。センサ１０１は、ノック動作の有無を示す信号を信号生成部１０４ａおよび判定部１０４ｂへ出力する。センサ１０２は、ノックボタン１ａの回転量を示す信号を信号生成部１０４ａへ出力する。センサ１０３は、芯１ｂの押し出しの有無を示す信号を判定部１０４ｂへ出力する。信号生成部１０４ａは、ノックボタン１ａの回転の検出結果に基づいて、カメラ２のズームを制御する操作信号を生成する。また、信号生成部１０４ａは、ノック動作の検出結果に基づいて、カメラ２のレリーズを制御する操作信号を生成する。
【００１４】
カメラ２のレリーズを制御する操作信号は、操作者がシャープペンシル１の芯１ｂを押し出す通常の動作によって生成されるため、そのままでは、芯１ｂを押し出す度に不必要な撮影が行われてしまうことになる。これを防ぐために、センサ１０３および判定部１０４ｂが設けられている。
【００１５】
判定部１０４ｂには、ノック動作の有無を示す信号がセンサ１０２から入力されると共に、芯１ｂの押し出しの有無を示す信号がセンサ１０３から入力される。判定部１０４ｂは、これらの信号に基づいて、操作者による操作が、シャープペンシル１の通常操作（本来の操作）であるのか、それともシャープペンシル１の通常操作と異なる、カメラ２を操作するための操作であるのかを判定する。ノック動作がなされ、かつ芯１ｂが押し出されたことが検出された場合には、判定部１０４ｂは、操作者による操作がシャープペンシルの通常操作であると判定し、カメラ操作を無効とする判定信号を生成する。一方、ノック動作はなされたものの、芯１ｂは押し出されなかったことが検出された場合には、判定部１０４ｂは、操作者による操作がシャープペンシル１の操作としてイレギュラな操作であると判定し、カメラ操作を有効とする判定信号を生成する。
【００１６】
処理装置１０４は、判定信号が有効を示している場合にのみ、レリーズ動作を制御するための操作信号を送信装置１０５へ出力する。また、処理装置１０４は、判定信号の状態に関わらず、ズーム動作を制御する操作信号を送信装置１０５へ出力する。送信装置１０５は操作信号をカメラ２へ送信する。受信装置２０１は操作信号を受信し、駆動装置２０２へ出力する。駆動装置２０２は、操作信号に基づいて、カメラ２のズームあるいはレリーズを駆動する。これによって、例えばノックボタン１ａの回転量に応じたズームの調整が行われ、芯１ｂを押し出さないようにノックボタン１ａが押し込まれた場合に、レリーズ動作が行われ、写真が撮影される。
【００１７】
以上によって、シャープペンシルを使用しながらのハンズフリーカメラの操作が実現される。カメラ操作の指示が入力される入力部はノックボタンであり、シャープペンシルの通常動作では使用されない回転操作がズーム動作に割り当てられ、通常動作と重複するノック動作がレリーズ動作に割り当てられており、通常動作とカメラ操作とを区別するために、芯の動きが検出されている。カメラ操作をする場合には、操作者は、シャープペンシルの先端を紙に当てるか、あるいは芯を指で押さえる等して、芯が動かないようにすればよい。これにより、例えば仕事や勉強をしている際に、本の内容を複写することや、外出時に書き物をしている際に、目に留まった光景を確実に撮影することができる。上記のように、カメラと同時に使用された道具の動作あるいは操作とカメラの操作は互いに独立となる。
【００１８】
次に、本実施形態の変形例を説明する。図２は、本変形例によるハンズフリーカメラ操作装置の構成を示すブロック図である。図２において、図１と同一の機能を有する構成には同一の符号が付与されている。図１に示されるハンズフリーカメラ操作装置においては、シャープペンシルのノックボタンのノック動作の検出に基づいて、レリーズを操作する操作信号を生成する際に、シャープペンシルの芯を出すためのノック動作をカメラ操作のための動作から除外していた。本変形例においては、この機能を生かしつつ、シャープペンシルの芯を出すための通常のノック動作でもレリーズ操作を可能とするモードが設けられている。
【００１９】
処理装置１０４に設けられたモード設定部１０４ｃは、２つのモード（動作モード）としてカメラ操作独立モードおよびカメラ操作共用モードのいずれかを処理装置１０４に設定する。カメラ操作独立モードは、判定部１０４ｂが生成する判定信号が有効である場合にのみ、処理装置１０４が操作信号を出力し、その操作信号に基づいて駆動装置２０２がカメラ２の駆動を制御するモードである。また、カメラ操作共用モードは、判定部１０４ｂによる判定の結果に依存せずに、処理装置１０４が判定信号を常に有効として操作信号を出力し、その操作信号に基づいて駆動装置２０２がカメラ２の駆動を制御するモードである。モード設定部１０４ｃが設定するモードは、操作者が選択可能である。例えば、シャープペンシル１にスイッチを設け、操作者がそのスイッチを操作してモードを設定するか、あるいはシャープペンシル１に受信装置を備え、外部からのデータ通信を介して操作者がモードを設定する。
【００２０】
以下、モード設定に関する動作のみを説明する。モード設定部１０４ｃは、操作者によって指示されたモードおよびその設定情報（モードの種別情報と、判定信号を常に有効とするか否かを示す情報等とが関連付けられた情報）を記憶し、設定情報に基づいた設定を判定部１０４ｂに行う。処理装置１０４のモードがカメラ操作独立モードに設定されている場合には、前述した動作と同一である。判定部１０４ｂには、ノック動作の有無を示す信号がセンサ１０１から入力されると共に、芯１ｂの押し出しの有無を示す信号がセンサ１０３から入力される。判定部１０４ｂは、これらの信号に基づいて、操作者による操作が、シャープペンシル１の通常操作（本来の操作）であるのか、それともシャープペンシル１の通常操作と異なる、カメラ２を操作するための操作であるのかを判定する。
【００２１】
ノック動作がなされ、かつ芯１ｂが押し出されたことが検出された場合には、判定部１０４ｂは、操作者による操作がシャープペンシルの通常操作であると判定し、カメラ操作を無効とする判定信号を生成する。一方、ノック動作はなされたものの、芯１ｂは押し出されなかったことが検出された場合には、判定部１０４ｂは、操作者による操作がシャープペンシル１の操作としてイレギュラな操作であると判定し、カメラ操作を有効とする判定信号を生成する。処理装置１０４は、判定信号が有効を示している場合にのみ、操作信号を送信装置１０５へ出力する。したがって、操作者による操作がシャープペンシル１の本来の操作と異なる操作である場合にのみ、カメラ２の撮像に係る動作が制御される。
【００２２】
一方、処理装置１０４のモードがカメラ共用モードに設定されている場合には、モード設定部１０４ｃは、判定部１０４ｂが生成する判定信号を、常にカメラ操作が有効となるように固定する。これによって、処理装置１０４は、ノック動作を検出した際に、芯１ｂの押し出しの有無に関わらず、操作信号を出力する。したがって、判定部１０４ｂによる判定の結果に依存せず、カメラ２の撮像に係る動作が制御される。
【００２３】
なお、本実施形態においては、信号処理装置１０４がシャープペンシル１に設けられているとしているが、カメラ２に設けられていてもよい。その場合、シャープペンシル１側には、センサ１０１〜１０３から出力される信号をカメラ２に送信する（送信装置１０５が行ってもよい）機能を設けておけばよい。
【００２４】
上述したように、本実施形態によるハンズフリーカメラ操作装置は、カメラと別個な道具の本来の操作とカメラの操作とを関連付け、操作者による道具の操作がその道具の本来の操作（通常の使用）である場合にはカメラに特定の動作（レリーズ動作等）を行わせず、操作者による道具の操作が、その道具の本来の操作と異なる操作である場合に、カメラに特定の動作を行わせる。これによって、操作者が、カメラとは別個の道具をその道具本来の使い方で使用しながら、その道具を用いて手軽にカメラを操作することができる。また、本実施形態によれば、カメラとは別の道具の操作によって、カメラが不必要な動作をすることがなく、カメラの適切な動作が可能である。
【００２５】
本実施形態においては、カメラと同時に使用された道具の動作あるいは操作とカメラの操作は互いに関連性を有しつつも、独立した操作となる。しかし、本実施形態の変形例のように、カメラ操作独立モードとカメラ操作共用モードとを選択して設定可能とすることにより、操作者は、道具の操作とカメラの操作を独立とした使い方と、道具の操作とカメラの操作を共用する使い方とのいずれかを選択することができる。したがって、道具の動作あるいは操作とカメラの操作を同一の動作あるいは操作から実施することもできる。
【００２６】
次に、本発明の第２の実施形態を説明する。図３は、本実施形態による、自転車を用いたハンズフリーカメラ操作装置の構成を示すブロック図である。本実施形態においては、図示される自転車３が入力装置として用いられ、操作者による自転車３の操作に基づいて、カメラ２が動作する。本実施形態においても、カメラ２は、顔面や頭部等に身に付ける眼鏡、サンバイザー、あるいは帽子等に装着される。
【００２７】
自転車３において、センサ３０１〜３０４はいずれも自転車３の可動部に設けられ、操作者による自転車３の操作に基づいた可動部の動きを検出する。センサ３０１は前輪ブレーキレバー３１の動作を検出する。センサ３０２は後輪ブレーキレバー３２の動作を検出する。センサ３０３はクラクションボタン３３の動作を検出する。センサ３０４はペダル３４の動作、すなわち操作者がペダル３４を漕ぐことにより生ずる回転を検出する。
【００２８】
自転車３のサドルあるいはボディ等の中には、処理装置３０５および送信装置３０６を備えたユニット３０が設けられている。処理装置３０５は、センサ３０１〜３０４によって検出された可動部の動きに基づいた操作信号を生成する。処理装置３０５において、信号生成部３０５ａは、センサ３０１〜３０４による可動部の動きの検出結果に基づいて、カメラ２を操作する（カメラ２の動作を制御する）ための操作信号（制御信号）を生成する。
【００２９】
判定部３０５ｂは、センサ３０１〜センサ３０４から出力された、可動部の動きの検出結果を示す信号に基づいて、操作者による自転車３の操作が自転車３の本来の操作であるか、それとも自転車３の本来の操作と異なる操作であるかを判定し、判定結果を示す判定信号を生成する。操作信号調整部３０５ｃは、信号生成部３０５ａによって生成された操作信号のうち、センサ３０１〜３０３から出力された信号に基づいて生成された３種類の操作信号を同一のカメラ操作に割り当てる。送信装置３０６は、操作信号をカメラ２へ送信する。カメラ２の構成は前述したとおりである。
【００３０】
次に、上述した構成の動作を説明する。センサ３０１は、例えば前輪ブレーキレバー３１自身の動作、あるいは前輪ブレーキレバー３１の動作に応じて動作するワイヤの動作の有無を示す信号を処理装置３０５へ出力する。センサ３０２はセンサ３０１と同様に、例えば後輪ブレーキレバー３２自身の動作、あるいは後輪ブレーキレバー３２の動作に応じて動作するワイヤの動作の有無を示す信号を処理装置３０５へ出力する。
【００３１】
センサ３０３は、例えばクラクションボタン３３が、電気的にブザーを鳴らすものである場合には、ボタンの押下を示す電気信号を直接検出し、あるいは例えばクラクションボタン３３が、機械的にベルを鳴らすものである場合には、ベルを叩く部位の動作を検出し、クラクションボタン３３の動作の有無を示す信号を処理装置３０５へ出力する。センサ３０４は、例えばペダル３４の動きに伴って回転する回転ギアの回転方向および回転量を示す信号を処理装置３０５へ出力する。
【００３２】
センサ３０１〜３０４から出力された信号は、図示せぬ信号線を介してユニット３０内の処理装置３０５に入力される。処理装置３０５の信号生成部３０５ａは、各センサによって検出された可動部の動きに基づいて操作信号を生成する。後述するように、信号生成部３０５ａによって生成された操作信号のうち、センサ３０１〜３０３による検出の結果に基づいて生成された操作信号は、レリーズ動作を制御する操作信号となり、センサ３０４による検出の結果に基づいて生成された操作信号は、ズーム動作を制御する操作信号となる。
【００３３】
判定部３０５ｂは、上記の各センサから出力された信号に基づいて、操作者による自転車３の操作が、自転車３の通常操作（本来の操作）であるのか、それとも自転車３の通常操作と異なる、カメラ２を操作するための操作であるのかを判定する。判定部３０５ｂは、例えば以下のように判定を行う。前輪あるいは後輪のブレーキレバーの操作については、予め設定された所定時間以上連続してブレーキレバーが操作されている場合に、判定部３０５ｂは、操作者による操作が通常の自転車３のブレーキ操作であると判断し、カメラ２の操作でないと判定する。この場合、判定部３０５ｂは、レリーズ動作に関するカメラ操作を無効とする判定信号を生成する。
【００３４】
また、瞬時にブレーキレバーが戻される等により、ブレーキレバーの操作の継続時間が所定時間未満であった場合には、判定部３０５ｂは、操作者による操作が通常の自転車３のブレーキ操作ではないと判断し、カメラ２の操作であると判定する。この場合、判定部３０５ｂは、レリーズ動作に関するカメラ操作を有効とする判定信号を生成する。
【００３５】
クラクションボタン３３の操作については、クラクションボタン３３が、電気的なブザーを鳴らすためのボタンである場合には、判定部３０５ｂは、ボタンの押下の継続時間を所定時間と比較することにより、カメラ操作の有効・無効の判定を行い、判定結果に応じた判定信号を生成する。また、クラクションボタン３３が、機械的にベルを叩くためのボタンである場合には、判定部３０５ｂは、ベルが叩かれた単位時間当たりの回数等によって、レリーズ動作に関するカメラ操作の有効・無効の判定を行い、判定結果に応じた判定信号を生成する。例えば、ボタンの押下の継続時間が所定時間未満であった場合、あるいはベルが叩かれた単位時間当たりの回数が所定回数未満であった場合に、カメラ操作が有効となる。
【００３６】
ペダル３４の回転操作については、回転が順方向の回転であった場合には、判定部３０５ｂは、操作者による操作が通常の自転車３の操作であると判断し、カメラ２の操作でないと判定する。この場合、判定部３０５ｂは、ズーム動作に関するカメラ操作を無効とする判定信号を生成する。また、回転が、自転車３の走行には何の影響も与えない逆方向の回転であった場合には、判定部３０５ｂは、操作者による操作が通常の自転車３の操作ではないと判断し、カメラ２の操作であると判定する。この場合、判定部３０５ｂは、ズーム動作に関するカメラ操作を有効とする判定信号を生成する。
【００３７】
操作信号調整部３０５ｃは、信号生成部３０５ａによって生成された操作信号の変換を行う。信号生成部３０５ａによって生成された操作信号は、カメラ２の動作（制御内容）を特定するものではないが、操作信号調整部３０５ｃは、センサ３０１〜３０３の出力に基づいた操作信号の全てを、レリーズ動作を制御する操作信号に変換する。これによって、センサ３０１〜３０３のうちのどのセンサが動作を検出した場合でも、カメラ２の特定の動作（制御内容）として、レリーズ動作を制御するための同一種類の操作信号が生成される。
【００３８】
また、操作信号調整部３０５ｃは、センサ３０４の出力に基づいた操作信号を、ズーム動作を制御する操作信号に割り当てる。ズームには、望遠方向と広角方向の２方向の操作の情報が必要であるのに対して、カメラ操作が有効となる回転ギアの方向は１方向（逆方向）しかない。そこで、例えばズームは望遠方向への単一操作に限定し、カメラ２のレンズの状態が最も望遠に達した後は、最も広角になるような制御を行うとよい。
【００３９】
処理装置３０５は、判定信号が有効を示している場合にのみ、操作信号を送信装置３０６へ出力する。送信装置３０６は操作信号をカメラ２へ送信する。受信装置２０１は操作信号を受信し、駆動装置２０２へ出力する。駆動装置２０２は、操作信号に基づいて、カメラ２のズームあるいはレリーズを駆動する。
【００４０】
なお、本実施形態においては、信号処理装置３０５が自転車３に設けられているとしているが、カメラ２に設けられていてもよい。その場合、自転車３側には、センサ３０１〜３０４から出力される信号をカメラ２に送信する（送信装置３０６が行ってもよい）機能を設けておけばよい。
【００４１】
以上によって、自転車を使用しながらのハンズフリーカメラの操作が実現される。カメラ操作の指示が入力される入力部はブレーキレバー、クラクションボタン、ペダルであり、それらの操作に基づいて、カメラ操作の有効・無効が判定される。自転車の通常動作とは異なる動作が検出された場合、その動作がカメラのレリーズまたはズームに割り当てられる。これによって、操作者が自転車の運転に専念しながら、見える景色等を写真に残すことができる。カメラをかばんから取り出す等の手間がないため、立ち止まる必要がない。
【００４２】
レリーズ操作の入力方法としては、前輪ブレーキレバー、後輪ブレーキレバー、クラクションボタンの３つが用意されており、カメラと同時に使用される道具の動作あるいは操作の複数のパターンが単一のカメラ操作に割り当てられる。上記の３つの操作部位のいずれかの動作が検出された場合に、操作信号が生成される。これによって、操作者は、道具の動作あるいは操作の状況、例えば操作のし易さ等に応じて、自転車の操作時に最も都合のよい入力方法を複数の入力方法の中から自由に選択することができるので、カメラの操作性が向上する。
【００４３】
以上、図面を参照して本発明の実施形態について詳述してきたが、具体的な構成はこれらの実施形態に限られるものではなく、この発明の要旨を逸脱しない範囲の設計変更等も含まれる。例えば、カメラの操作対象としてズームとレリーズを挙げたが、カメラと同時に使用される道具の動作を検出する部位を増やし、上記以外のカメラの操作を行ってもよい。また、操作者が頻繁に操作する必要のない要素は、カメラ本体に予め設定されるようにしておくと便利である。
【図面の簡単な説明】
【００４４】
【図１】本発明の第１の実施形態によるハンズフリーカメラ操作装置の構成を示すブロック図である。
【図２】本発明の第１の実施形態の変形例によるハンズフリーカメラ操作装置の構成を示すブロック図である。
【図３】本発明の第２の実施形態によるハンズフリーカメラ操作装置の構成を示すブロック図である。
【符号の説明】
【００４５】
１・・・シャープペンシル、２・・・カメラ、３・・・自転車、３０・・・ユニット、３１・・・前輪ブレーキレバー、３２・・・後輪ブレーキレバー、３３・・・クラクションボタン、３４・・・ペダル、１０１，１０２，１０３，３０１，３０２，３０３，３０４・・・センサ、１０４，３０５・・・処理装置、１０４ａ，３０５ａ・・・信号生成部、１０４ｂ，３０５ｂ・・・判定部、１０５，３０６・・・送信装置、２０１・・・受信装置、２０２・・・駆動装置、３０５ｃ・・・操作信号調整部
【図１】
2006279619.tif 000003
【図２】
2006279619.tif 000004
【図３】
2006279619.tif 000005